(57)【特許請求の範囲】
【請求項１】
内周面を円筒面状の外輪軌道とした外輪と、この外輪の内径側に配置された、円周方向複数個所にポケットを設けた合成樹脂製の保持器と、これら各ポケット内に転動自在に保持された複数個の転動体とから成り、
上記保持器は、互いに間隔をあけて同心に配置された、それぞれが円環状である１対のリム部と、これら両リム部同士の間に、それぞれの両端部をこれら両リム部の互いに対向する内側縁に連続させた状態で、円周方向に間隔をあけた状態で互いに平行に配置された複数本の柱部とを備え、円周方向に隣り合う柱部と上記両リム部とにより四周を囲まれた部分をそれぞれ上記各ポケットとしたものであり、
上記各柱部の円周方向両側面のうちで上記両リム部の径方向に関して内径側の端部に、互いに近付く方向に突出した係止突条部を設けており、上記各柱部の自由状態で、上記各ポケットを挟んで互いに対向する１対の係止突条部の先端縁同士の間隔は、上記各転動体の外径よりも小さいラジアル軸受に於いて、
上記各係止突条部は、上記径方向に関して外径側の面を、外径側に向かう程上記各柱部の円周方向中央部に近づく方向に傾斜した傾斜面としたものであり、且つ、上記各係止突条部は、上記径方向に関して外径側に位置する外径側段部と、同じく内径側に位置する内径側段部とから成るものであって、上記各ポケットを挟んで互いに対向する１対の係止突条部の外径側段部の先端縁同士の間隔は、上記各転動体の外径よりも小さく、同じく内径側段部の先端縁同士の間隔は、上記外径側段部の先端縁同士の間隔よりも更に小さく、これら各内径側段部とこれら各外径側段部との外径側の面の、上記径方向に対する傾斜角度を比較した場合に、各内径側段部の外径側の面の傾斜角度が各外径側段部の外径側の面の傾斜角度よりも大きい事を特徴とする
ラジアル軸受。
【請求項２】
各内径側段部の外径側の面の傾斜角度と各外径側段部の外径側の面の傾斜角度との差が２０度以上である、請求項１に記載したラジアル軸受。
【請求項３】
保持器の軸方向に関して、各係止突条部の両端部が、両リム部の内側面にまで達している、請求項１〜２のうちの何れか１項に記載したラジアル軸受。
【請求項４】
各係止突条部の両端部先端縁と両リム部の内側面との連続部が、曲率半径が０．１〜０．５mmの円弧状の凹曲面である、請求項３に記載したラジアル軸受。
【請求項５】
外輪が、軸方向両端部にそれぞれ内向フランジ状の鍔部を設けたものであって、これら両鍔部の内側面同士の間隔が保持器の軸方向寸法よりも大きく、転動体である玉が、この保持器に設けた複数のポケット毎に複数個ずつ設けられている、請求項１〜４のうちの何れか１項に記載したラジアル軸受。
【請求項６】
外輪が、軸方向両端部にそれぞれ内向フランジ状の鍔部を設けたものであって、これら両鍔部の内側面同士の間隔が保持器の軸方向寸法よりも大きく、転動体であるニードルが、この保持器に設けた複数のポケット毎に１本ずつ設けられている、請求項１〜４のうちの何れか１項に記載したラジアル軸受。
【発明の詳細な説明】
【技術分野】
【０００１】
この発明は、例えば自動車用変速機（主として手動変速機）に組み込まれて、所定長さの軸方向移動を可能としつつ、回転を可能にするラジアル軸受の改良に関する。例えば、転動体として玉を使用して、両方向の変位を何れも転動体の転がりにより可能とする、スライドボール軸受、或いは転動体としてニードルを使用して、回転を転がりにより可能とするニードル軸受が対象となる。
【背景技術】
【０００２】
自動車用変速機には、例えば特許文献１〜３に記載されている様に、所定長さの軸方向移動を可能としつつ、回転を可能にするラジアル軸受が組み込まれている。図１１〜１６は、この様な目的で従来から広く使用されているラジアル軸受の２例を示している。先ず、図１１〜１３に示した第１例は、上述したスライドボール軸受で、外輪１と、保持器２と、それぞれが転動体である複数個の玉３、３とから成る。このうちの外輪１は、軸受鋼、肌焼鋼等の硬質金属製で全体を円筒状に形成されており、軸方向両端部に内向フランジ状の鍔部４ａ、４ｂを形成している。又、上記保持器２は、ポリアミド樹脂、ポリフェニレンサルファイド樹脂等の合成樹脂を射出成形する事により一体に構成したもので、１対のリム部５、５と複数本の柱部６、６とを備える。これら両リム部５、５は、互い同径の円環状で、互いに間隔をあけて同心に配置されている。又、上記各柱部６、６は、それぞれが直線状で、上記両リム部５、５同士の間に、それぞれの両端部をこれら両リム部５、５の互いに対向する内側縁に連続させた状態で、円周方向に間隔をあけた状態で互いに平行に配置されている。そして、円周方向に隣り合う柱部６、６と上記両リム部５、５とにより四周を囲まれた部分を、それぞれポケット７、７としている。
【０００３】
上記各玉３、３は、これら各ポケット７、７内に、これら各ポケット７、７毎に複数個ずつ、転動自在に保持している。又、上記外輪１の軸方向両端部に設けた上記両鍔部４ａ、４ｂの内側面同士の間隔Ｄ４ は、上記保持器２の軸方向長さＬ２ よりも十分に大きく（Ｄ４ ≫Ｌ２ ）している。従って、この保持器２は上記外輪１の内径側に、上記各玉３、３の転動に基づき、回転及び軸方向の移動自在に支持されている。例えば手動変速機への組み付け状態では、上記外輪１を内嵌固定したハウジングの内径側に、上記各玉３、３の内径側に挿通した軸を、回転及び軸方向に関する所定量（Ｄ４ −Ｌ２ ）の変位を自在に支持する。
【０００４】
一方、図１４〜１６に示した第２例はニードル軸受で、外輪１と、保持器２と、それぞれが転動体である複数個のニードル８、８とから成る。このうちの外輪１及び保持器２の構造は、上述した第１例の構造の場合と同様である。但し、これら外輪１と保持器２とを、軸方向に関して相対変位させる事は考慮していない為、外輪１の軸方向両端部に設けた１対の鍔部４ａ、４ｂの内側面同士の間隔は、上記保持器２の軸方向長さよりも少し大きいだけである。又、本例の場合には、この保持器２、２のポケット７、７内に上記各ニードル８、８を、これら各ポケット７、７毎に１本ずつ保持している。従って、上記保持器２は上記外輪１の内径側に、上記各ニードル８、８の転動に基づいて回転可能に支持されている。例えばハウジングへの組み付け状態では、上記外輪１を内嵌固定した、このハウジングの内径側に、上記各ニードル８、８の内径側に挿通した軸を、回転自在に支持する。
【０００５】
前述の様なスライドボール軸受或いは上述した様なニードル軸受を組み立てるには、軸方向一端（図１２、１３、１５、１６の上端）にのみ鍔部４ａを形成した、外輪素材を用意する。一方、上記保持器２のポケット７、７内に前記各玉３、３或いは上記各ニードル８、８を組み込んで、サブ組立体としておく。そして、このサブ組立体を上記外輪素材の内径側に挿入してから、この外輪素材の軸方向他端部を内径側に折り曲げて、比較的薄肉の鍔部４ｂを形成する事により、この外輪素材を上記外輪１とし、上記サブ組立体がこの外輪１から抜け出る事を阻止する。
【０００６】
上記スライドボール軸受にしても、上記ニードル軸受にしても、上記各ポケット７、７から、前記各玉３、３或いは上記各ニードル８、８が、上記保持器２の内径側に抜け出る事を防止する為の機構が必要である。この様な機構がないと、上記各玉３、３或いは上記各ニードル８、８が上記保持器２の内径側に抜け出て、上記軸受の組立作業や、組立完了後の軸受を上記ハウジングの内周面と上記軸の外周面との間に組み付ける作業が困難になる。又、軸受の運搬時等に、玉３、３或いはニードル８、８が脱落し、紛失してしまう可能性がある。
【０００７】
この為従来から、図１７〜１９に示す様に、上記保持器２を構成する前記各柱部６、６の円周方向両側面のうちで、前記両リム部５、５の径方向に関して内径側の端部に、互いに近付く方向に突出した係止突条部９、９を設ける事が行われている。これら各係止突条部９、９は、上記径方向に関して外径側の面を、外径側に向かう程上記各柱部６、６の円周方向中央部に近づく方向に傾斜した傾斜面１０としている。言い換えれば、同一のポケット７の円周方向両内側面に互いに対向する状態で設けた係止突条部９、９の外径側の面を、径方向外側に向かう程互いに離れる方向に傾斜した傾斜面１０、１０としている。そして、上記各柱部６、６の自由状態で、上記各ポケット７、７を挟んで互いに対向する１対の係止突条部９、９の先端縁同士の間隔Ｄ９ を、上記各玉３、３或いは上記各ニードル８、８の外径Ｄａよりも小さく（Ｄ９ ＜Ｄａ）している。この為、これら各玉３、３或いはこれら各ニードル８、８を、上記各ポケット７、７に、上記保持器２の外径側から装着（或いはこの保持器２を前記外輪１の内径側に組み込んだ後、上記各柱部６、６を弾性変形させつつ内径側から押し込んで装着）すれば、上記各玉３、３或いは上記各ニードル８、８が上記各ポケット７、７から抜け出る事はなくなる。
【０００８】
但し、従来構造の場合には、上記各玉３、３或いは上記各ニードル８、８が上記各ポケット７、７から抜け出る事を、必ずしも確実に防止できなかった。この理由は、主として次の(1)(2)の２通りであるが、以下、これらの理由に就いて、図１７〜２３を参照しつつ説明する。
(1) 上記各ポケット７、７の両内側面に設けた上記各係止突条部９、９の先端縁同士の間隔を十分に狭くできない。
(2) 各柱部６、６が円周方向に弾性変形し易くなり、上記各係止突条部９、９の先端縁同士の間隔が拡がり易くなる。
【０００９】
このうちの(1) の問題は、上記保持器２の内周面から上記各玉３、３或いは上記各ニードル８、８の一部が径方向内方に突出し得る量（所謂落ち量）の確保を考慮する事に伴って生じる。即ち、従来構造の場合に上記各係止突条部９、９は、図１７〜１９に示す様に、単に外径側の面を単一の傾斜面１０としただけの、１段構造であった。上記落ち量とは、図１９の寸法αである。この様な構造でこの落ち量αを確保しようとした場合、上記各ポケット７に設けた１対の係止突条部９、９の先端縁同士の間隔Ｄ９ を、上記各玉３、３或いは上記各ニードル８、８の外径Ｄａに比べて十分に小さくできない。この為、上記各柱部６、６が僅かに弾性変形しただけでも、図２０に鎖線で示す様に、上記各ポケット７内に保持した上記各玉３、３或いは上記各ニードル８、８が、前記保持器２の内径側に抜け出てしまう（ポケット７から脱落する）。
【００１０】
尚、上記落ち量αは、上記各玉３、３或いは上記各ニードル８、８の転動面を、前記スライドボール軸受或いは前記ニードル軸受の内径側に配置される軸の外周面である内輪軌道と確実に転がり接触させ、且つ、上記保持器２の内周面とこの軸の外周面との間に所定の隙間を確保する為に必要である。上記落ち量αの確保のみを考慮すれば、図２１の右半部に示す様に、外径側の面が断面円弧状の凹曲面１１とした係止突条部９ａを採用する事で対応できる。ポケット７の内側面からの突出量を同じとした場合、上記凹曲面１１とした係止突条部９ａにより確保できる落ち量αは、図２１の左半部に設けた、外径面が単なる傾斜面１０である係止突条部９により確保できる落ち量βよりも大きく（α＞β）できる。但し、上記外径側の面を凹曲面１１とした係止突条部９ａを合成樹脂の射出成形により造る場合、射出成形用の金型の形状が複雑になり、保持器の製造コストが嵩む。又、上記外径側の面を凹曲面１１とした係止突条部９ａは、曲げ剛性が低く、前記(2) の問題となる、前記各柱部６、６が曲がり方向に弾性変形する事を抑える機能が低い。
【００１１】
又、上記(2) の問題は、前記スライドボール軸受或いは前記ニードル軸受の負荷容量を確保すべく、これら各軸受に組み込む上記各玉３、３或いは上記各ニードル８、８を多くする為に、上記各ポケット７、７の数を多くする事に伴って、上記各柱部６、６の円周方向の幅が小さくなる事で生じる。これら各柱部６、６の円周方向の幅が小さくなると、これら各柱部６、６が弾性変形し易くなる。しかも、従来構造の場合には、図１７、１８、２２、２３に示す様に、前記各係止突条部９、９を、上記各柱部６、６部分にのみ形成し、これら各係止突条部９、９の端部と前記両リム部５、５の内側面とを連続させてはいなかった。この為、これら両リム部５、５と上記各柱部６、６の端部との連続部の曲げ剛性が低く、円周方向に隣り合う柱部６、６同士の間に存在するポケット７の幅が、図２３に示す様に拡がり易かった。そして、拡がった場合には、前述の図２０に示す様に、上記各ポケット７内に保持した上記各玉３、３或いは上記各ニードル８、８がこれら各ポケット７から脱落する。この傾向は、転動体として玉３、３を使用するスライドボール軸受の場合に著しい。
【００１２】
【特許文献１】特開平８−２５４２６９号公報
【特許文献２】実願平４−３４６４２号（実開平５−９４５２８号）のＣＤ−ＲＯＭ
【特許文献３】実願平５−２３０４５号（実開平６−７９６２７号）のＣＤ−ＲＯＭ
【特許文献４】特開平８−３２６７４４号公報
【発明の開示】
【発明が解決しようとする課題】
【００１３】
本発明は、上述の様な事情に鑑みて、各転動体が各ポケットから抜け出る原因となる、前述の(1)(2)に示した２通りの理由の一方又は双方を解消して、優れた組み付け性を有し、しかも、転動体が欠けた状態で組み付ける可能性をなくす事により信頼性の確保を図れる構造を実現すべく発明したものである。
【課題を解決するための手段】
【００１４】
本発明のラジアル軸受は、外輪と、保持器と、複数個の転動体とから成る。
このうちの外輪は、内周面を円筒状の外輪軌道としている。
又、上記保持器は、合成樹脂製で、上記外輪の内径側に配置されたもので、円周方向複数個所にポケットを設けている。即ち、上記保持器は、互いに間隔をあけて同心に配置された、それぞれが円環状である１対のリム部と、これら両リム部同士の間に、それぞれの両端部をこれら両リム部の互いに対向する内側縁に連続させた状態で、円周方向に間隔をあけた状態で互いに平行に配置された複数本の柱部とを備える。そして、円周方向に隣り合う柱部と上記両リム部とにより四周を囲まれた部分を、それぞれ上記各ポケットとしている。
又、上記各柱部の円周方向両側面のうちで上記両リム部の径方向に関して内径側の端部に、互いに近付く方向に突出した係止突条部を設けている。そして、上記各柱部の自由状態で、上記各ポケットを挟んで互いに対向する１対の係止突条部の先端縁同士の間隔は、上記各転動体の外径よりも小さい。
更に、上記各転動体は、上記各ポケット内に転動自在に保持されている。
【００１５】
特に、本発明のラジアル軸受に於いては、上記各係止突条部は、上記径方向に関して外径側の面を、外径側に向かう程上記各柱部の円周方向中央部に近づく方向に傾斜した傾斜面としている。又、上記各係止突条部は、上記径方向に関して外径側に位置する外径側段部と、同じく内径側に位置する内径側段部とから成る。そして、上記各ポケットを挟んで互いに対向する１対の係止突条部の上記外径側段部の先端縁同士の間隔は、上記各転動体の外径よりも小さい。同じく上記内径側段部の先端縁同士の間隔は、上記外径側段部の先端縁同士の間隔よりも更に小さい。そして、これら各内径側段部とこれら各外径側段部との外径側の面の、上記径方向に対する傾斜角度を比較した場合に、上記各内径側段部の外径側の面の傾斜角度が上記各外径側段部の外径側の面の傾斜角度よりも大きい。
この様な本発明を実施する場合に好ましくは、請求項２に記載した発明の様に、上記各内径側段部の外径側の面の傾斜角度と上記各外径側段部の外径側の面の傾斜角度との差を、２０度以上確保する。
又、好ましくは、請求項３に記載した発明の様に、上記保持器の軸方向に関して、上記各係止突条部の両端部を、上記両リム部の内側面にまで達する状態として、これら各係止突条部の両端部とこれら両リム部とを連続させる。
【００１６】
この様な請求項３に記載した発明を実施する場合に好ましくは、請求項４に記載した発明の様に、上記各係止突条部の両端部先端縁と上記両リム部の内側面との連続部を、曲率半径が０．１〜０．５mmの円弧状の凹曲面とする。
【００１７】
又、本発明を実施する場合に、例えば請求項５、６に記載した発明の様に、前記外輪を、軸方向両端部にそれぞれ内向フランジ状の鍔部を設けたものとする。又、これら両鍔部の内側面同士の間隔を、保持器の軸方向寸法よりも大きくする。
そして、請求項５に記載した発明の様に、前記転動体である玉を、上記保持器に設けた複数のポケット毎に複数個ずつ設ける。
或いは、請求項６に記載した発明の様に、転動体であるニードルを、上記保持器に設けた複数のポケット毎に１本ずつ設ける。
【発明の効果】
【００１８】
上述の様な構成を有する本発明のラジアル軸受によれば、前述の(1)(2)に示した２通りの理由のうちの少なくとも(1)を、更に請求項３に記載した発明によれば(1)(2)の両方を解消して、優れた組み付け性を有し、しかも、転動体が欠けた状態で組み付ける可能性をなくす事により信頼性の確保を図れる構造を実現できる。
即ち、本発明の場合には、各係止突条部を、突出量が少なく外径側面の傾斜角度が緩い外径側段部と、突出量が多く外径側面の傾斜角度が急である内径側段部とから構成している。この為、上記外径側段部の外径側面と各転動体の転動面とが当接する迄これら各転動体を保持器の内径側に変位させれば、これら各転動体の一部を、この保持器の内周面よりも十分径方向内方に突出させられる。即ち、各ポケット内に保持した各転動体の落ち量を確保できる。この様に、これら各転動体の転動面と上記外径側段部の外径側面とが当接するまで、これら各転動体を上記保持器の内径側に変位させた状態でも、これら各転動体の転動面と上記内径側段部とが当接する事はない。この内径側段部は、上記各係止突条部全体としての高さ寸法を確保して、これら各係止突条部を設けた各柱部の曲げ剛性を高くする役目と、万一、上記各転動体が上記外径側段部よりも内径側に変位する傾向になった場合にこれら各転動体を抑えて、これら各転動体が上記保持器の内径側に抜け出る（脱落する）のを防止する役目とを有する。従って、上記各ポケット内に保持した上記各転動体が、上記保持器の内径側に抜け出る事を確実に防止して、ラジアル軸受の組立作業時に転動体が保持器の内径側に抜け出たり、組立後に転動体が保持器の内径側に抜け出たりする事を確実に防止できる。この様な作用・効果は、請求項２に記載した発明の様に、上記各内径側段部の外径側の面の傾斜角度と上記各外径側段部の外径側の面の傾斜角度との差を、２０度以上確保すれば、十分に得られる。又、これら各外径側段部と上記各内径側段部とから成る、上記各係止突条部を射出成形する為の金型の加工は容易で、上記保持器の製造コストが嵩む事もない。
【００１９】
又、請求項３に記載した発明の様に、上記各係止突条部の両端部を両リム部の内側面にまで達する状態として、これら各係止突条部の両端部とこれら両リム部とを連続させれば、これら両リム部と各柱部の両端部との連続部の曲げ剛性を高くできる。この為、円周方向に関する、これら各柱部の弾性変形を抑える事ができる。この結果、これら各柱部に設けた上記各係止突条部の高さ寸法を徒に大きくしなくても、これら各係止突条部の先端縁同士の間隔が、上記各転動体の外径よりも大きくなる事を防止できる。そして、上記各ポケット内に保持した転動体の落ち量を確保しつつ、これら各転動体が保持器の内径側に抜け出る事を防止できる。この結果、上記落ち量の確保と、上記各転動体の脱落防止とを、より確実に図れる。
更に、請求項４に記載した発明の様に、上記各係止突条部の両端部先端縁と上記両リム部の内側面との連続部を、曲率半径が０．１〜０．５mmの円弧状の曲面とすれば、これら各連続部と転動体（特にニードル）との干渉を防止しつつ、これら各連続部の曲げ剛性を確保できる。
【発明を実施するための最良の形態】
【００２０】
［実施の形態の１例］
図１〜４は、請求項１、２、５、６に対応する、本発明の実施の形態の第１例を示している。尚、本例を含めて本発明の特徴は、合成樹脂製の保持器２ａに設けた各ポケット７、７内に保持した転動体（玉３、３或いはニードル８、８）の落ち量を確保しつつ、この転動体が上記各ポケット７、７から内径側に抜け出る事を確実に防止すべく、上記保持器２ａの一部の形状を工夫した点にある。その他の部分の構造及び作用は、前述の図１１〜１３に示したスライドボール軸受、或いは、前述の図１４〜１６に示したニードル軸受と同様であるから、同等部分に関する図示並びに説明は、省略若しくは簡略にし、以下、本例の特徴部分を中心に説明する。
【００２１】
上記保持器２ａを構成する各柱部６、６の円周方向両側面の内径側端部に、それぞれ係止突条部９ｂ、９ｂを形成している。これら各係止突条部９ｂ、９ｂはそれぞれ、図４に詳示する様に、上記保持器２ａの径方向に関して外径側に位置する外径側段部１２と、同じく内径側に位置する内径側段部１３とから成る。このうちの各内径側段部１３は、上記各外径側段部１２の内径側端部から、上記各ポケット７、７の幅方向（円周方向）中央側に突出する状態で形成されている。
【００２２】
又、上記各ポケット７、７を挟んで互いに対向する、これら各ポケット７、７毎に１対ずつの係止突条部９ｂ、９ｂの各外径側段部１２の先端縁同士の間隔Ｄ１２は、上記各転動体（玉３、３或いはニードル８、８）の外径Ｄａよりも小さい。同じく上記各内径側段部１３の先端縁同士の間隔Ｄ１３は、上記各外径側段部１２の先端縁同士の間隔よりも更に小さい（Ｄａ＞Ｄ１２＞Ｄ１３）。又、これら各外径側段部１２と各内径側段部１３との外径側の面は、それぞれ外径側に向かう程上記各ポケット７、７の幅方向中央側から離れる方向に傾斜した傾斜面１０ａ、１０ｂとしている。これら両傾斜面１０ａ、１０ｂの傾斜角度は互いに異なり、上記各内径側段部１３の外径側の面である各傾斜面１０ｂの傾斜角度θｂを、上記各外径側段部１２の外径側の面である各傾斜面１０ａの傾斜角度θａよりも大きく（θｂ＞θａ）している。両傾斜角度θａ、θｂを、上記各ポケット７、７の円周方向中央部での直径方向との為す角度とした場合に、本例の場合、上記各外径側段部１２に関する各傾斜面１０ａの傾斜角度θａを３０度とし、上記各内径側段部１３に関する傾斜面１０ｂの傾斜角度θｂを５０度としている。尚、これら各内径側段部１３に関する各傾斜面１０ｂの傾斜角度θｂの最大値は９０度とする。
【００２３】
上述の様な構成を有する本例の構造によれば、優れた組み付け性を有し、しかも、転動体が欠けた状態で組み付ける可能性をなくす事により信頼性の確保を図れる構造を実現できる。即ち、上記各係止突条部９ｂ、９ｂを、突出量が少なく外径側面である傾斜面１０ａの傾斜角度θａが緩い外径側段部１２と、突出量が多く外径側面である傾斜面１０ｂの傾斜角度θｂが急である内径側段部１３とから構成している。この為、傾斜角度θａが緩い、上記各外径側段部１２の外径側面である各傾斜面１０ａと各転動体の転動面とが当接する迄、これら各転動体を前記保持器２ａの内径側に変位させれば、これら各転動体の一部を、この保持器２ａの内周面よりも十分径方向内方に突出させられる。即ち、上記各ポケット７、７内に保持した各転動体の落ち量を確保できる。
【００２４】
この様に、これら各転動体の転動面と上記各外径側段部１２の外径側面である各傾斜面１０ａとが当接するまで、これら各転動体を上記保持器２ａの内径側に変位させた状態でも、これら各転動体の転動面と上記各内径側段部１３の外径側側面である各傾斜面１０ｂとが当接する事はない。これら各内径側段部１３は、上記各係止突条部９ｂ、９ｂ全体としての高さ寸法Ｈ９ を確保して、これら各係止突条部９ｂ、９ｂを設けた前記各柱部６、６の曲げ剛性を高くする機能と、万一、上記各転動体が上記各外径側段部１２よりも内径側に変位する傾向になった場合にこれら各転動体を抑えて、これら各転動体が上記保持器２ａの内径側に抜け出る（脱落する）のを防止する役目を有する。従って、前記各ポケット７、７内に保持した上記各転動体が、上記保持器２ａの内径側に抜け出る事を確実に防止して、ラジアル軸受の組立作業時に転動体がこの保持器２ａの内径側に抜け出たり、組立後に転動体がこの保持器２ａの内径側に抜け出たりする事を確実に防止できる。
【００２５】
図３は、右半部に本例の構造を、左半部に、本例の場合と同程度の抜け止め防止効果を得られる様にした（係止突条部全体としての高さ寸法を同じにした）従来構造を、それぞれ示している。右半部に示した本例の構造の場合、上記各転動体の落ち量αを十分に確保できるのに対して、左半部に示した従来構造の場合には、落ち量βを確保できない。特に本例の場合には、上記各内径側段部１３の外径側の面である傾斜面１０ｂの傾斜角度θｂを、上記各外径側段部１２の外径側の面である傾斜面１０ａの傾斜角度θａよりも２０度大きくしているので、上記各ポケット７、７からの上記各転動体の抜け止めと、これら各転動体の落ち量の確保とを、高次元で両立させられる。尚、上記各外径側段部１２と上記各内径側段部１３とから成る、上記各係止突条部９ｂ、９ｂを射出成形する為の金型の加工は容易で、上記保持器２ａの製造コストが嵩む事もない。
【００２６】
［本発明に関する参考例の第１例］
図５〜７は、係止突条部９ｃ、９ｃの形状の点で、本発明の技術的範囲からは外れるが、請求項３〜５に記載した発明を示唆する構造を含んだ、本発明に関する参考例の第１例を示している。本参考例の場合には、保持器２ｂの軸方向に関して、前記各係止突条部９ｃ、９ｃの両端部を、上記両リム部５、５の内側面にまで達する状態として、これら各係止突条部９ｃ、９ｃの両端部とこれら両リム部５、５とを連続させている。又、これら各係止突条部９ｃ、９ｃの両端部先端縁とこれら両リム部５、５の内側面との連続部を、曲率半径が０．１〜０．５mmの円弧状の曲面１４、１４としている。
【００２７】
この様な本参考例の構造によれば、上記両リム部５、５と各柱部６、６の両端部との連続部の曲げ剛性を高くできる。即ち、上記各係止突条部９ｃ、９ｃがこの連続部に存在して、一種の補強ビードとして機能する。この為、円周方向に関する、上記各柱部６、６の弾性変形を抑える事ができる。即ち、これら各柱部６、６が、前述の図２３に誇張して示す様に弾性変形し、これら各柱部６、６の円周方向両側面内径寄り部分に形成した上記各係止突条部９ｃ、９ｃの先端縁同士の間隔が拡がる事を抑えられる。この結果、上記各柱部６、６に設けたこれら各係止突条部９ｃ、９ｃの高さ寸法を特に大きくしなくても、これら各係止突条部９ｃ、９ｃの先端縁同士の間隔が、各転動体の外径よりも大きくなる事を防止できる。そして、各ポケット７、７内に保持した転動体の落ち量を確保しつつ、これら各転動体が保持器２ｂの内径側に抜け出る事を防止できる。
【００２８】
又、本参考例の場合には、上記各係止突条部９ｃ、９ｃの両端部先端縁と上記両リム部５、５の内側面との連続部を、曲率半径が０．１〜０．５mmである円弧状の曲面１４、１４としているので、これら各連続部と各転動体との干渉を防止しつつ、これら各連続部の曲げ剛性を確保できる。特に、これら各転動体がニードルであり、このニードルの両端部外周縁の曲率半径が小さい場合には、上記各曲面１４、１４の曲率半径が大きい（０．５mmを上回る）と、これら各曲面１４、１４と上記ニードルの両端部外周縁とが干渉し、このニードルの転動が円滑に行えなくなったり、これら各曲面１４、１４の一部が強く押されて、これら各曲面１４、１４の一部が塑性変形する可能性がある。これに対して本参考例の場合には、上記曲率半径を適切に規制する事により、上記効果を得る様にしている。尚、本例の構造を実施する場合、上記各係止突条部９ｃ、９ｃの形状は問わないが、好ましくは、前述した本発明の実施の形態の１例の如き形状とする。
【００２９】
［本発明に関する参考例の第２例］
図５〜７は、係止突条部９ｄ、９ｄの形状の点で、本発明の技術的範囲からは外れるが、請求項３〜５に記載した発明を示唆する構造を含んだ、本発明に関する参考例の第２例を示している。本参考例の場合には、保持器２ｃに設けた各ポケット７、７の内径側端部に前記係止突条部９ｄ、９ｄを、これら各ポケット７、７の全周に亙り設けている。言い換えれば、保持器２ｃの軸方向に関して、各係止突条部９ｄ、９ｄの両端部を、上記両リム部５、５の内側面にまで達するまで形成し、更に、互いに対向する１対の係止突条部９ｄ、９ｄの端部同士を、上記両リム部５、５の内側面内径寄り部分に形成した突条部により連続させている。この様な本例の構造によれば、上記両リム部５、５と各柱部６、６の両端部との連続部の剛性を、上述した参考例の第１例よりも、更に向上させられる。その他の部分の構成及び作用は、この参考例の第１例の場合と同様である。
【産業上の利用可能性】
【００３０】
本発明は、回転方向及び軸方向の相対変位を許容できる構造に限らず、回転方向の相対変位のみを許容する一般的なラジアル軸受にも適用できる。
【図面の簡単な説明】
【００３１】
【図１】本発明の実施の形態の１例を示す、中心軸に直交する仮想平面に関する断面図。
【図２】本発明の実施の形態の１例の構造と従来構造とを比較して示す為に、一部を省略して示す、図１と同様の断面図。
【図３】図２のＡ部拡大図。
【図４】図３のＢ部拡大図。
【図５】本発明に関する参考例の第１例を、転動体を省略した状態で示す斜視図。
【図６】図５のＣ部拡大図。
【図７】本発明に関する参考例の第１例を構成する保持器のポケットを、保持器の径方向外方から見た図。
【図８】本発明に関する参考例の第２例を、転動体を省略した状態で示す斜視図。
【図９】図８のＤ部拡大図。
【図１０】本発明に関する参考例の第２例を構成する保持器のポケットを、保持器の径方向外方から見た図。
【図１１】従来構造の第１例を、外輪のみを切断した状態で示す斜視図。
【図１２】同じく外輪に加えて保持器及び各玉を切断した状態で示す斜視図。
【図１３】図１２のＥ矢視図。
【図１４】従来構造の第２例を、外輪のみを切断した状態で示す斜視図。
【図１５】同じく外輪に加えて保持器及び各ニードルを切断した状態で示す斜視図。
【図１６】図１５のＦ矢視図。
【図１７】従来構造から転動体を除き、外輪の一部を切断した状態で示す斜視図。
【図１８】図１７のＧ部拡大図。
【図１９】従来構造に組み込まれるポケットの断面形状を示す、図３と同様の図。
【図２０】保持器のポケットから玉が脱落する状態を説明する為の断面図。
【図２１】先に考えた改良構造を説明する為の、図１９と同様の図。
【図２２】従来構造を構成する保持器のポケットを、保持器の径方向外方から見た図。
【図２３】このポケットが弾性変形した状態を誇張して示す、図２２と同様の図。
【符号の説明】
【００３２】
１    外輪
２、２ａ、２ｂ、２ｃ  保持器
３    玉
４ａ、４ｂ  鍔部
５    リム部
６    柱部
７    ポケット
８    ニードル
９、９ａ、９ｂ、９ｃ、９ｄ  係止突条部
１０、１０ａ、１０ｂ  傾斜面
１１    凹曲面
１２    外径側段部
１３    内径側段部
１４    曲面
【図１】
0005007684.tif 000002
【図２】
0005007684.tif 000003
【図３】
0005007684.tif 000004
【図４】
0005007684.tif 000005
【図５】
0005007684.tif 000006
【図６】
0005007684.tif 000007
【図７】
0005007684.tif 000008
【図８】
0005007684.tif 000009
【図９】
0005007684.tif 000010
【図１０】
0005007684.tif 000011
【図１１】
0005007684.tif 000012
【図１２】
0005007684.tif 000013
【図１３】
0005007684.tif 000014
【図１４】
0005007684.tif 000015
【図１５】
0005007684.tif 000016
【図１６】
0005007684.tif 000017
【図１７】
0005007684.tif 000018
【図１８】
0005007684.tif 000019
【図１９】
0005007684.tif 000020
【図２０】
0005007684.tif 000021
【図２１】
0005007684.tif 000022
【図２２】
0005007684.tif 000023
【図２３】
0005007684.tif 000024